(57)【要約】【課題】電子請求書の支払い操作をバイヤにとってより簡易にする。【解決手段】バイヤ宛ての複数の電子請求書のうち、バイヤに選択された２又は３以上の支払先同一請求書については、サーバ２５が、バイヤの要求に応じて、２又は３以上の支払先同一請求書にそれぞれ記載の２又は３以上の請求金額を合計して合算請求金額を算出し、その合算請求金額と、上記選択された２又は３以上の請求書の内容とを含んだ一つの合算請求書を作成して表示する。また、サーバ２５は、その合算請求書に対する支払い要求を入力するための「支払」ボタン６７も表示し、それが押下されときは、合算請求書の支払い依頼電文がバイヤ銀行システム１３に送信され、その銀行システム１３とサプライヤ銀行システム１７との間で、その合算請求書の合算請求金額をバイヤ口座からサプライヤ口座に移動させる入出金処理が行われる。【選択図】        図１
2004259196.tif 000002
【特許請求の範囲】
【請求項１】
請求書を発行するサプライヤが用いるサプライヤシステムと、
請求書を受けるバイヤが用いるバイヤシステムと、
前記サプライヤシステム及び前記バイヤシステムと通信ネットワークを介して通信可能に接続されたサーバと
を用いて電子請求書を処理するための方法において、
前記サーバが、請求金額が記載された複数の電子請求書を前記サプライヤシステムから受信するステップと、
前記サーバが、前記受信した前記複数の電子請求書をデータベースに登録するステップと、
前記サーバ又は前記バイヤシステムが、前記バイヤ又は前記サプライヤからの要求に応答して或いは自動的に、前記複数の電子請求書の各々に含まれている所定の情報に基づいて、前記複数の電子請求書の中から合算支払い可能な２以上の電子請求書を判別し、前記判別された２以上の電子請求書に基づいて合算請求書を作成するステップと、
前記サーバ又は前記バイヤシステムが、前記作成された合算請求書を出力するステップと
を有する方法。
【請求項２】
請求書を発行するサプライヤが用いるサプライヤシステムから、請求金額が記載された複数の電子請求書を通信ネットワークを介して受信する手段と、
前記受信した前記複数の電子請求書をデータベースに登録する手段と、
請求書を受けるバイヤが用いるバイヤシステム又は前記サプライヤシステムからの要求に応答して或いは自動的に、前記複数の電子請求書の各々に含まれている所定の情報に基づいて、前記複数の電子請求書の中から合算支払い可能な２以上の電子請求書を判別し、前記判別された２以上の電子請求書に基づいて合算請求書を作成する手段と、
前記作成された合算請求書を出力する手段と
を備えた装置。
【請求項３】
請求書を発行するサプライヤが用いるサプライヤシステムと、請求書を受けるバイヤが用いるバイヤシステムと通信ネットワークを介して通信可能に接続されたサーバを構築するためにコンピュータプログラムであって、請求金額が記載された複数の電子請求書を前記サプライヤシステムから受信するステップと、
前記受信した前記複数の電子請求書をデータベースに登録するステップと、
前記バイヤシステム又は前記サプライヤシステムからの要求に応答して或いは自動的に、前記複数の電子請求書の各々に含まれている所定の情報に基づいて、前記複数の電子請求書の中から合算支払い可能な２以上の電子請求書を判別し、前記判別された２以上の電子請求書に基づいて合算請求書を作成するステップと、
前記作成された合算請求書を出力するステップと
をコンピュータに実行させるためのコンピュータプログラム。
【発明の詳細な説明】
【０００１】
【発明の属する技術分野】
本発明は、通信ネットワークを利用して電子請求書の処理を行うための技術に関し、具体的には、例えば、電子請求書の支払い方法の改良に関する。
【０００２】
【従来の技術】
通信ネットワークを利用して電子請求書の決済を行うための技術に、例えば、本願出願人が過去に行った特許出願の願書に添付した明細書及び図面に記載された発明がある（特許文献１参照）。その発明では、サーバが、サプライヤシステムからバイヤ宛ての電子請求書を受信してデータベースに登録すると共に、その電子請求書の内容をバイヤに表示し且つその電子請求書の支払い要求を入力するためのＧＵＩ画面をバイヤシステムに送信して表示させる。バイヤは、バイヤシステムに表示されたＧＵＩ画面に対して、その電子請求書に対する支払い要求を入力する。すると、サーバ又はバイヤシステムが、その電子請求書の支払い依頼電文を自動的に作成して銀行システムに送信して、銀行システムに、その支払い依頼電文に応答して入出金処理を行わせるようにする。
【０００３】
【特許文献１】
ＷＯ−０１−８２１６２号公報。
【０００４】
【発明が解決しようとする課題】
上述した発明において、電子請求書の内容の確認、或いは支払いについて別のバリエーションがあると好まれるであろう。
【０００５】
従って、本発明の目的は、電子請求書の内容の確認、或いは支払いについて別のバリエーションを提供することにある。
【０００６】
【課題を解決するための手段】
本発明に従う方法は、請求書を発行するサプライヤが用いるサプライヤシステムと、請求書を受けるバイヤが用いるバイヤシステムと、前記サプライヤシステム及び前記バイヤシステムと通信ネットワークを介して通信可能に接続されたサーバとを用いて電子請求書を処理するための方法であって、前記サーバが、請求金額が記載された複数の電子請求書を前記サプライヤシステムから受信するステップと、前記サーバが、前記受信した前記複数の電子請求書をデータベースに登録するステップと、前記サーバ又は前記バイヤシステムが、前記バイヤ又は前記サプライヤからの要求に応答して或いは自動的に、前記複数の電子請求書の各々に含まれている所定の情報に基づいて、前記複数の電子請求書の中から合算支払い可能な２以上の電子請求書を判別し、前記判別された２以上の電子請求書に基づいて合算請求書を作成するステップと、前記サーバ又は前記バイヤシステムが、前記作成された合算請求書を出力するステップとを有する。合算請求書には、例えば、上記２以上の電子請求書にそれぞれ記載されている２以上の請求金額の合計が記載されている。
【０００７】
前記複数の電子請求書の各々に含まれている所定の情報とは、例えば、支払先情報（例えば、サプライヤ名等のサプライヤ情報、又は、振込先口座番号）や支払い期日等である。具体的には、例えば、サーバ又はバイヤシステムは、データベースに登録された複数の電子請求書のうち、各電子請求書の支払先情報（例えばサプライヤ情報又は振込先口座番号）が同一の２以上の電子請求書を判別し、判別された２以上の電子請求書にそれぞれ記述されている２以上の請求金額を合計した合算金額が書かれた合算請求書を作成する。
【０００８】
ところで、本発明において、「請求書」という用語は、請求書だけでなく、請求書ではないが請求金額などの請求内容がそこから読み取れるような文書、例えば、取引明細や計算書や納品書なども含む意味で用いる。請求金額はプラス（バイヤが金を支払う）でもマイナス（バイヤが金を受け取る）でもよい。
【０００９】
本発明において、「入出金明細」という用語は、口座に対する入金又は出金の事実とその金額がそこから読み取れるような文書という意味で用いる。
【００１０】
本発明において、「バイヤ」という用語は、商品又はサービスを買う主体だけでなく、金銭の移動を伴う何らかの経済的行為を自ら行う主体、及びその経済的行為を他社から受ける対象者をも含む広い意味で用いる。
【００１１】
本発明において、「サプライヤ」という用語は、商品又はサービスを「バイヤ」に提供する主体だけでなく、金銭の移動を伴う何らかの経済的行為を「バイヤ」に対して自ら行う主体、及び「バイヤ」からその経済的行為を受ける対象者をも含む広い意味で用いる。
【００１２】
本発明において、「銀行」という用語は、銀行だけでなく、銀行ではないがサプライヤ又はバイヤの資金移動を扱うことができる組織をも含む広い意味で用いる。本発明の「銀行」が例えば証券会社又は郵便局などを指す場合もあり得る。
【００１３】
【発明の実施の形態】
図１は、本発明の一実施形態に係るシステムの全体的構成を示すブロック図である。
【００１４】
図１に示すように、本システムには、商品又はサービスを提供するサプライヤ（例えば私企業又は官公庁）が使用するコンピュータシステムであるサプライヤシステム７が存在する。サプライヤシステム７は、例えばインターネットバンキングのようなエレクトロニックバンキングシステムを通じて、後述のサプライヤ銀行システム１５と通信することができるし、インターネット等の通信ネットワークを介して、後述する請求書管理サーバ２５及び合算サーバ２８とも通信することができる。なお、サプライヤは、個人でも私企業でも官公庁でもよい。本明細書では「サプライヤ」という用語を、商品又はサービスを販売する者だけでなく、税金を徴収する官庁、各種取引の仲介業者、ローン会社、ファクタリング会社など、バイヤに対して何らかの経済的行為を行う主体を指す意味で用いる。サプライヤの例には、バイヤに商品を販売する小売店やレストラン、バイヤに対し各種の金融サービスを提供する証券会社、保険会社、信販会社（カード会社等）及びローン会社、バイヤから代金を回収するファクタリング会社、バイヤの勤務先である会社又は官公庁、バイヤに通話サービスを提供する電話会社及び携帯電話会社、都市ガスを供給するガス会社、並びに電力を供給する電力会社などがある。サプライヤの例には、さらに、上下水道事業を営む地方公営企業体、国税や地方税や罰金を徴収する行政機関、及び様々な公共サービスを行う諸官公庁（例えば、郵便局等）などもある。
【００１５】
また、本システムには、商品又はサービスを購入するバイヤが使うコンピュータシステムであるバイヤシステム３が備えられる。バイヤシステム３は、例えばインターネットバンキングのようなエレクトロニックバンキングシステムを通じて、後述のバイヤ銀行システム１３と通信することができるし、インターネット等の通信ネットワークを介して、後述する請求書管理サーバ２５及び合算サーバ２８とも通信することができる。なお、バイヤは、個人でも法人でも良い。本明細書では「バイヤ」という用語を、商品又はサービスを購入する者だけでなく、税金を納付する者、株式などの証券を購入又は売却する者、ローンを借りる者、又はローンを返済する者など、様々な経済行為を行う者を総称する意味で用いる。バイヤの一例は個人バイヤである。バイヤシステム３としては、後述する請求書管理サーバ２５にアクセスしたり、エレクトロニックバンキングシステムにアクセスしたりすることができるように、インターネット接続機能とＷＷＷブラウザとを搭載したパーソナルコンピュータ、携帯電話機又はハンドヘルド端末などが利用可能である。
【００１６】
また、本システムには、バイヤの口座を取り扱う金融機関が使用するコンピュータシステムであるバイヤ銀行システム１３と、サプライヤの口座を取り扱う金融機関１１が使用するコンピュータシステムであるサプライヤ銀行システム１５とが存在する。バイヤ銀行システム１３とサプライヤ銀行システム１５は、銀行間ネットワーク２２等の所定の通信ネットワークを通じて、バイヤの口座とサプライヤの口座との間の資金移動（口座振替）などのための通信を行うことができる。
【００１７】
さらに、図１に示すように、例えば所定の会社によって運営されるサーバシステムである請求書管理サーバ２５が存在する。請求書管理サーバ２５の役割は、バイヤとサプライヤとの間で行われた商業的又は非商業的な取引及びそれら取引に係る決済を管理し処理することである。請求書管理サーバ２５は、インターネット、公衆電話回線網、専用通信ネットワーク又はエレクトロニックバンキングシステム等を通じて、バイヤシステム３、サプライヤシテム７、バイヤ銀行システム１３、サプライヤ銀行システム１５、及び後述の合算請求書管理サーバ２８と通信可能である。
【００１８】
さらに、図１に示すように、例えば所定の会社によって運営される別のサーバシステムである合算請求書管理サーバ２８が存在する。合算請求書管理サーバ２８の役割は、少なくとも後述する合算ＩＤコードを取得し、その合算ＩＤコードを管理することである。合算請求書管理サーバ２８は、インターネット、公衆電話回線網、専用通信ネットワーク又はエレクトロニックバンキングシステム等を通じて、バイヤシステム３、サプライヤシテム７、バイヤ銀行システム１３、サプライヤ銀行システム１５、請求書管理サーバ２５と通信可能である。合算請求書管理サーバ２８は、請求書管理サーバ２５の一機能として請求書管理サーバ２５と同一のコンピュータマシン内に備えられても良いし、請求書管理サーバ２５とは別のコンピュータマシンであっても良い。
【００１９】
本実施形態では、実際には、多数のバイヤシステム３と多数のサプライヤシステム７と多数の銀行システム１３、１５とが、請求書管理サーバ２５や合算請求書管理サーバ２８を利用することができるが、図１には、便宜上、バイヤシステム３、サプライヤシステム７、バイヤ銀行システム１３、及びサプライヤ銀行システム１５は１つのみを示す。
【００２０】
以下、本システムに備えられる各コンピュータシステムついて具体的に説明する。
【００２１】
サプライヤシステム７は、一般市場又はインターネット市場２において何からの取引が行われる毎に、その取引に固有のＩＤコード（以下、「取引ＩＤコード」と言う）及びその取引に関する取引情報（例えば、取引相手のバイヤ名、電子メールアドレス、取引金額、取引日、及び取引明細）を取得する。具体的には、例えば、サプライヤシステム７は、一般市場で取引が行われた場合には、サプライヤの従業員が使用する携帯端末等から取引情報を受信すると共に、取引ＩＤコードを生成する（取引ＩＤコードを受信しても良い）。また、例えば、インターネット市場を介してバイヤシステム３とサプライヤシステム７との間で取引が行われる毎に、サプライヤシステム７が、その取引に固有の取引ＩＤコードを生成し且つその取引情報を特定する。
【００２２】
サプライヤシステム７は、取引ＩＤコード及び取引情報を取得したら、その取引ＩＤコード及び取引情報に基づいて、電子請求書を自動的に作成する。具体的には、例えば、サプライヤシステム７は、取引情報に含まれているバイヤ名、バイヤの電子メールアドレス、取引金額、取引明細（例えば、商品番号、商品名、単価、及び購入個数等）及び取引ＩＤコードや所定の情報（例えば振込先指定口座等）に基づいて、請求先バイヤ名、そのバイヤの電子メールアドレス、請求金額、支払先口座、請求元サプライヤ名、請求書発行日、支払い期限、請求明細（例えば、商品番号、商品名、単価、及び購入個数等）、及び取引ＩＤコード等を含んだ電子請求書を自動的に生成する。これにより、取引ＩＤコードは、取引のみならず、電子請求書を一意に特定するためのＩＤコードにもなる。このため、電子請求書に付けられた取引ＩＤコードを、以下、「請求ＩＤコード」と称する。なお、請求ＩＤコードは、例えば、ＥＤＩ（Ｅｌｅｃｔｒｏｎｉｃ  Ｄａｔａ  Ｉｎｔｅｒｃｈａｎｇｅ）の規格に基づいて受け渡し可能なデータである。
【００２３】
また、サプライヤシステム７は、作成された電子請求書を格納するための請求書データベース（以下、「請求書ＤＢ」と言う）８を備える。サプライヤシステム７は、電子請求書を作成したときは、自動的に又はサプライヤからの要求に応じて、その電子請求書を請求書ＤＢ８に格納する。請求書ＤＢ８では、各電子請求書毎に、バイヤ名、請求金額、請求書発行日、支払期限、請求書状態、及び請求ＩＤコードが管理される。なお、「請求書状態」とは、電子請求書の状態のことであり、例えば、「未開封」、「開封済み」、「支払い依頼中」、及び「支払済み」の４種類がある。「未開封」は、電子請求書が請求書管理サーバ２５に到達した旨が請求書管理サーバ２５からその電子請求書の請求先バイヤに電子メール等で通知されたが、その請求先バイヤのバイヤシステム３は請求書管理サーバ２５が管理している電子請求書にアクセスしていない旨を表し、「開封済み」は、そのバイヤシステム３がその電子請求書にアクセスした旨を表す。「支払い依頼中」は、電子請求書の支払い依頼電文（詳細は後述する）が請求先バイヤのバイヤ銀行システム１３に送信されたことを表し、「支払済み」は、電子請求書に記載の請求金額がバイヤの口座からサプライヤの口座に着金したことを示す。サプライヤシステム７は、所定のタイミングで（例えば、サプライヤシステム７が電子請求書の状態について任意のタイミングで請求書管理サーバ２５に問い合わせを出した後）、請求書管理サーバ２５から各電子請求書の状態の通知を受けて、請求書ＤＢ８内で管理されているその電子請求書の状態を通知された状態に更新する。
【００２４】
また、サプライヤシステム７は、後述する合算請求書に表されている合算請求金額がバイヤの口座からサプライヤの口座に着金した後、サプライヤ銀行システム１５から、後述する合算ＩＤコードを有する電子的な入出金明細（例えば、バイヤ名、出金口座、入金口座、入出金日、及び入出金金額を含んだ情報）を受信する。サプライヤシステム７は、それに応答して自動的に又はサプライヤの操作に従って、受信した入出金明細が有する合算ＩＤコードに対応した請求ＩＤコードは何かを合算請求書管理サーバ２８に問い合わせる。サプライヤシステム７は、その問い合わせの結果として、上記受信した合算ＩＤコードに対応した複数の請求ＩＤコードを合算請求書管理サーバ２８から受信したら、請求書ＤＢ８において、それら複数の請求ＩＤコードからそれぞれ特定される複数の電子請求書を自動的に帳消しする（換言すれば消し込む）。具体的には、サプライヤシステム７は、受信した複数の請求ＩＤコードからそれぞれ特定される複数の電子請求書の各々の状態を、「支払い依頼中」から「支払済み」に変更して請求書ＤＢ８を更新する。
【００２５】
請求書管理サーバ２５は、サプライヤシステム７から受信した電子請求書を格納するための請求書ＤＢ２７を有する。請求書ＤＢ２７では、各電子請求書毎に、請求先バイヤ名、請求金額、支払先口座、請求元サプライヤ名、請求書発行日、支払い期限、請求明細（例えば、商品番号、商品名、単価、及び購入個数等）、及び請求ＩＤコードが管理されている。
【００２６】
請求書管理サーバ２５は、サプライヤシステム７から、請求ＩＤコードを有する電子請求書を受信する都度に、リアルタイムで、その電子請求書を請求書ＤＢ２７に格納すると共に、その電子請求書の請求先バイヤのバイヤシステム３に、電子請求書が到達した旨及びその電子請求書へのパス（例えばＵＲＬ、以下、「請求書パス」と言う）を示した文書データ、例えば電子メールを送信する。そして、請求書管理サーバ２５は、請求書ＤＢ２７内で、その電子請求書の状態を「未開封」にして、サプライヤシステム７からの問い合わせに応答して又はリアルタイムで自動的に、その状態「未開封」を例えばその電子請求書の請求ＩＤコードと共にサプライヤシステム７に通知する。それにより、サプライヤシステム７は、請求書ＤＢ８の中から、請求書状態が「未開封」のものを特定し、特定された電子請求書の状態を「未開封」に設定する。
【００２７】
請求書管理サーバ２５は、電子請求書到達の通知後、バイヤシステム３において請求先バイヤから請求書パスが指定されたときは（例えばポインティングデバイスで請求書パスがクリックされたときは）、その請求書パスに基づくバイヤシステム３からのアクセスに応答して、その電子請求書をバイヤシステム３に送信し、更に、その請求書パスに対応した電子請求書の内容を見せ且つその電子請求書の支払い要求を入力するためのＧＵＩ画面をバイヤシステム３に表示させる。また、そのとき、請求書管理サーバ２５は、請求書ＤＢ２７において、送信した電子請求書の状態を「未開封」から「開封済み」に変更すると共に、変更直後に自動的に又はサプライヤシステム７からの問い合わせに応答して、その電子請求書についての変更後の状態を、例えばその電子請求書の請求ＩＤコードと共に通知する。それにより、サプライヤシステム７は、請求書ＤＢ８の中から、請求状態が変更された電子請求書を特定し、特定された電子請求書の状態を「未開封」から「開封済み」に変更する。
【００２８】
請求書管理サーバ２５は、バイヤシステム３で表示されたＧＵＩ画面上で支払い要求が入力されたならば、それに応答して、その電子請求書に表されている請求金額をバイヤの口座からサプライヤの口座へ移動させることを指示するための電文であって、その電子請求書が有する請求ＩＤコードを含んだ支払い依頼電文を自動的に作成して、それをバイヤ銀行システム１３に送信する。支払い依頼電文には、請求ＩＤコードの他に、例えば、支払元口座番号（つまり所定の又はバイヤ所望の口座番号）と、入出金金額（つまり請求金額）と、支払先口座番号（つまり電子請求書に表されているサプライヤの口座番号）とが含まれている。請求書管理サーバ２５は、バイヤに選択された電子請求書の支払い依頼電文をバイヤ銀行システム３に送信したときは、請求書ＤＢ２７において、その電子請求書の状態を「開封済み」から「支払い依頼中」に変更し、変更直後に自動的に又はサプライヤシステム７からの問い合わせに応答して、変更後の状態「支払い依頼中」を、例えばその電子請求書の請求ＩＤコードと共にその電子請求書の発行元のサプライヤシステム７に通知する。それにより、サプライヤシステム７は、請求書ＤＢ８の中から、請求状態が変更された電子請求書を特定し、特定された電子請求書の状態を「開封済み」から「支払い依頼中」に変更する。
【００２９】
なお、請求書管理サーバ２５は、例えば、バイヤとサプライヤとの間での取引の際にバイヤに支払元口座番号が指定された等の理由により電子請求書に支払元口座番号が記入されているときには、自動的に、その支払元口座番号も含んだ支払い依頼電文を作成する。また、請求書管理サーバ２５は、例えばバイヤが複数の銀行口座を有する場合には、支払い要求が入力された後、所定のタイミングで、どの銀行口座から支払うかを選択させるための口座選択画面をバイヤシステム３に表示させても良い。その場合、請求書管理サーバ２５は、その口座選択画面上で、それら複数の銀行口座から一つの銀行口座が選択されたときは、選択された銀行口座の口座番号を支払元口座番号とした支払い依頼電文を作成する。なお、請求書管理サーバ２５は、バイヤに所望の銀行口座を選択させるときは、請求金額以上の残額がある銀行口座をのみを選択可能に受け付けたり、選択されようとしている銀行口座（例えばポインティングデバイスのカーソルが重ねられた銀行口座）について、現在から所定期間内のキャッシュフローを検出してそれを表示したりしても良い。バイヤの各銀行口座についてのキャッシュフローは、例えば、バイヤ銀行システム１３に問い合わせてそれをバイヤ銀行システム１３から教えてもらったり、予め所定のデータベースで各バイヤの銀行口座毎にキャッシュフローを管理しそのデータベースからキャッシュフローを取得したりすることにより検出することができる。ここで言う「キャッシュフロー」とは、例えば、何日にいくら引き落とされるかの情報であって、特に、住宅ローンや自動車ローン等のように引き落とし日と引き落とし額が一定期間同じものを言う。請求書管理サーバ２５は、この段落で説明した処理を、後述する合算請求書に対する支払要求が入力されたときにも実行することができる。
【００３０】
さて、請求書管理サーバ２５は、バイヤシステム３からの要求に応答して所定のＧＵＩ画面、例えば、図２に示すように、サブ画面６２とメイン画面６５とを含んだＧＵＩ画面６１をバイヤシステム３に送信して表示させる。サブ画面６２には、選択可能な複数のメニュー、例えば、バイヤが受信した電子請求書の一覧を表示することを選択するための選択メニュー「請求書一覧」と、複数の電子請求書を合算し少ない操作で電子請求書の支払いを行うことを選択するための「合算」とが表示されるようになっている。
【００３１】
このサブ画面６２上で、バイヤから選択メニュー「合算」が選択された場合、請求書管理サーバ２５は、請求書ＤＢ２７から、そのバイヤ宛ての全ての又は一部の電子請求書を取得し、それらの電子請求書をバイヤシステム３に送信すると共に、その全ての又は一部の電子請求書を一覧表示した請求書一覧表６７をメイン画面６５に表示する（図２に示す請求書一覧表６７は、バイヤ所望の（例えば請求書発行日がバイヤに指定された年月内のものの）電子請求書の一覧である）。請求書一覧表６７には、取得された複数の電子請求書の各々毎に、請求元サプライヤのサプライヤ名、請求金額、請求書発行日、電子請求書の状態、問合せ番号、及び支払期限が表示される。請求書管理サーバ２５は、「サプライヤ名」ボタン５１がポインティングデバイス等により押下されたときは、サプライヤ名が同じ（支払先口座が同じ）電子請求書がまとまるように複数の電子請求書を並び替え、「発行日」ボタン５３が押下されたときは、請求書発行日が早い順又は遅い順に複数の電子請求書を並び替え、「状態」ボタン５５が押下されたときは、電子請求書の状態が同じものがまとまるように複数の電子請求書を並び替え、「支払期限」ボタン５７が押下されたときは、支払期限が早い順又は遅い順に複数の電子請求書を並び替える。
【００３２】
また、請求書管理サーバ２５は、取得した複数の電子請求書の各々のサプライヤ名の表示位置の下に、「明細」ボタンを表示し、その「明細」ボタンが押下されたときは、そのボタンに対応している電子請求書の請求明細を表示する。また、請求書管理サーバ２５は、取得した複数の電子請求書の各々の請求書状態を特定し、請求書状態が「未開封」及び「開封済み」であるもの、つまり支払要求が未だ入力されていない電子請求書については、例えばサプライヤ名の表示位置の下に、「支払」ボタンを表示する。「支払」ボタンが押下されたならば、請求書管理サーバ２５は、上述した支払い依頼電文を作成してそれをバイヤ銀行システム３に送信する。
【００３３】
また、請求書管理サーバ２５は、取得した複数の電子請求書の各々に記載されている支払先口座を特定し、支払先口座が同一の電子請求書が２つ以上存在する場合には、それら２つ以上の電子請求書（以下、「支払先同一請求書」と言う）について、合算した支払いの対象としたい２又は３以上の電子請求書の選択をバイヤから受け付ける。具体的には、例えば、請求書管理サーバ２５は、図２に示すように、各支払先同一請求書の表示欄の先頭に、チェックボックス７０ａ、７０ｂ、７１ａ、７１ｂ及び７１ｃを表示し、そのチェックボックスにチェックマークが記載されたものを、バイヤから選択された支払先同一請求書として取り扱う。請求書管理サーバ２５は、選択された２又は３以上の支払先同一請求書を一つの請求書とした合算請求書を作成する。具体的には、請求書管理サーバ２５は、例えば、２又は３以上の支払先同一請求書が選択された後、メイン画面５９に表示されている「合算」ボタン５９が押下されたときは、選択された２又は３以上の支払先同一請求書にそれぞれ記述されている２又は３以上の請求金額を合計して合算請求金額を算出し、且つ、選択された２又は３以上の支払先同一請求書がそれぞれ有する２又は３以上の請求ＩＤコードに基づいて、後述する合算請求書を一意に特定することができる１つのユニークなオリジナルＩＤコード（以下、このＩＤコードを「合算ＩＤコード」と言う）を生成する。そして、請求書管理サーバ２５は、図３に例示するように、算出した合算請求金額、生成した１つの合算ＩＤコード、それの基となっている２又は３以上の請求ＩＤコード、及び、２又は３以上の支払先同一請求書の内容を含んだ合算請求書９１を作成して、それを、メイン画面６５（図２参照）に表示する。
【００３４】
また、請求書管理サーバ２５は、そのメイン画面６５内に、合算請求書９１の支払い要求を入力して合算請求書管理サーバ２８に支払依頼電文を作成させるための「支払」ボタン６７を表示する。その「支払」ボタン６７が押下されたときは、合算請求書９１に記載されている合算請求金額をバイヤの口座からサプライヤの口座に移動させるための支払い依頼電文を作成させるための指示電文が、合算請求書と共に、バイヤシステム３から合算請求書管理サーバ２８に送信される。その指示電文には、例えば、合算ＩＤコードと、それの作成の基になっている２又は３以上の請求ＩＤコードと、支払元口座番号（つまり所定の又はバイヤ所望の口座番号）と、入出金金額（つまり合算請求金額）と、支払先口座番号（つまり合算請求書に表されているサプライヤの口座番号）とが含まれている。
【００３５】
なお、請求書管理サーバ２５は、支払先同一請求書のグループが２つ以上存在する場合は、各グループを見分けやすいように、各グループに属する電子請求書についての表示態様（例えば、書体、文字の色、又は、表を構成するセルの色又はテクスチャ等）を各グループ毎に異ならせても良い。また、請求書管理サーバ２５は、支払先同一請求書のグループが２つ以上存在する場合は、或るグループに属する電子請求書が選択されたにも関わらず、別のグループに属する電子請求書が選択されることの無いように、すなわち、支払先口座が異なるものが選択されてしまうことがないように、或るグループに属する電子請求書が選択された場合には、同一のグループに属する他の電子請求書のみを選択可能に受け付け、他のグループに属する電子請求書は選択不可能に受け付ける。例えば、請求書管理サーバ２５は、請求元サプライヤ名が「☆☆花店」である３つの支払先同一請求書のうちいずれか１つの請求書のチェックボックス７１ａ、７１ｂ、７１ｃにチェックマークが記入されたならば、他のチェックボックス７０ａ、７０ｂを、チェックマークを記入できないよう選択不可能状態にする。
【００３６】
また、請求書管理サーバ２５は、個々の電子請求書の支払い依頼電文の作成、合算請求金額の算出、合算ＩＤコードの生成、及び合算請求書の作成といった各種処理を、自らが行うこともできるし、バイヤシステム３に実行させることもできる。後者の場合は、請求書管理サーバ２５は、例えば、その各種処理のためのコンピュータプログラムをバイヤシステム３に送信し、バイヤシステム３のＣＰＵがそのコンピュータプログラムを読み込むことにより、バイヤシステム３のＣＰＵが一次キャッシュ又は二次キャッシュ等のメモリを使用して種々の演算処理を行うことで、上述した各種処理を実行することができる。
【００３７】
また、合算ＩＤコードは、種々の演算方法で生成することが可能である。例えば、複数の請求ＩＤコードを単に結合して成る等のように合算ＩＤコードから複数の請求ＩＤコードの各々を一意に特定可能なように作成することもできるし、複数の請求ＩＤコードを用いてスクランブルをかけたりハッシュ化したりする等の方法で生成することも可能である。前者の場合は、例えば、合算請求書の指示電文には、合算ＩＤコードのみが含まれて、それの基になっている複数の請求ＩＤコードが含まれないようにしても良い。
【００３８】
さて、再び図１を参照して、合算請求書管理サーバ２８等の他のコンピュータシステムについて説明する。
【００３９】
合算請求書管理サーバ２８は、合算請求書や合算ＩＤコードを格納するためのデータベース（以下、「合算請求書ＤＢ」と言う）２９を有する。合算請求書管理サーバ２８は、バイヤシステム３から合算請求書及びそれの支払いのための指示電文を受信したときは、その指示電文に含まれている合算ＩＤコードと合算請求書とを対応付けて合算請求書ＤＢ２９に格納し、且つ、その指示電文に含まれている合算ＩＤコードと、その指示電文に含まれている２又は３以上の請求ＩＤコードとを対応付けて合算請求書ＤＢ２９に格納する。そして、合算請求書管理サーバ２８は、バイヤシステム３からの指示電文の受信に応答して、合算請求書に対応した合算ＩＤコードを有する支払い依頼電文を自動的に作成して、それを、上記指示電文に含まれている支払元口座番号を有するバイヤ銀行システム１３に送信する。合算請求書の支払い依頼電文には、例えば、合算ＩＤコード、支払元口座番号（つまり所定の又はバイヤ所望の口座番号）と、入出金金額（つまり合算請求金額）と、支払先口座番号（つまり合算請求書に表されているサプライヤの口座番号）とが含まれている。
【００４０】
また、合算請求書管理サーバ２８は、合算請求書の支払い依頼電文をバイヤ銀行システム３に送信したときは、その合算請求書の合算ＩＤコードに対応した２又は３以上の請求ＩＤコードを特定し、特定された２又は３以上の請求ＩＤコードを用いて、請求書ＤＢ２７において、それら２又は３以上の請求ＩＤコードにそれぞれ対応した２又は３以上の請求書の状態を「支払い依頼中」に更新する。それにより、請求書管理サーバ２５が、更新直後に自動的に又はサプライヤシステム７からの問い合わせに応答して、変更後の状態「支払い依頼中」を、例えば各電子請求書の請求ＩＤコードと共に各電子請求書の発行元のサプライヤシステム７に通知し、サプライヤシステム７によって、請求書ＤＢ８の中から、請求状態が変更された各電子請求書を特定され、特定された各電子請求書の状態が「支払い依頼中」に更新される。
【００４１】
また、合算請求書管理サーバ２８は、サプライヤシステム７から、合算ＩＤコードを検索キーとした問い合わせを受け、それに応答して、その合算ＩＤコードに対応した２又は３以上の請求ＩＤコード（すなわち、その合算ＩＤコードの基になった２又は３以上の請求ＩＤコード）を合算請求書ＤＢ２９から抽出し、抽出された２又は３以上の請求ＩＤコードをサプライヤシステム７に通知する。
【００４２】
バイヤ銀行システム１３は、バイヤの銀行口座を管理するためのデータベース（以下、「バイヤ口座管理部」と言う）１４を有する。バイヤ口座管理部１４では、各バイヤの各銀行口座（以下、「バイヤ口座」と言う）の残金等の入出金情報が管理されている。バイヤ銀行システム１３は、バイヤシステム３、請求書管理サーバ２５、又は合算請求書管理サーバ２８から、請求ＩＤコード又は合算ＩＤコードを有する支払い依頼電文を受けると、その電文に含まれている支払元口座番号に対応したバイヤ口座から、その電文に含まれている請求金額又は合算請求金額を出金して、そのバイヤ口座に対応した入出金情報を更新する。そして、バイヤ銀行システム１３は、出金した請求金額又は合算請求金額を、受信した支払い依頼電文に含まれている支払先口座番号を有するサプライヤの銀行口座（以下、「サプライヤ口座」と言う）に移動させるためのデータであって、その支払い依頼電文が有する請求ＩＤコード又は合算ＩＤコードを有する振込データを、銀行間ネットワーク２２を介して、そのサプライヤ口座を有するサプライヤ銀行システム１５に送信する。振込データには、請求ＩＤコード又は合算ＩＤコードの他に、例えば、取引日（出金日）、出金金額、支払元口座番号、支払先口座番号、及び摘要などが含まれている。
【００４３】
サプライヤ銀行システム１５は、サプライヤ口座を管理するためのデータベース（以下、「サプライヤ口座管理部」と言う）１６を有する。サプライヤ口座管理部１６では、各バイヤのサプライヤ口座の残金等の入出金情報が管理されている。サプライヤ銀行システム１５は、バイヤ銀行システム１３から銀行間ネットワーク２２を介して請求ＩＤコード又は合算ＩＤコードを持った振込データを受けると、その振込データに基づいて入金処理を行う。すなわち、サプライヤ銀行システム１５は、振込データに含まれている支払先口座番号を持つサプライヤ口座に、振込データに含まれている出金金額を入金して、そのサプライヤ口座に関する入出金情報を更新する。そして、サプライヤ銀行システム１５は、振込データが有する請求ＩＤコード又は合算ＩＤコード等を持った電子的な入出金明細を生成し、それを、上記支払先口座番号を持つサプライヤのサプライヤシステム７に送信する。それにより、支払い処理が完了したら、すなわち、電子請求書又は合算請求書に記載の請求金額又は合算請求金額が所定のサプライヤ口座に着金したら、直ちに、その電子請求書の請求ＩＤコード又は合算請求書の合算ＩＤコードがサプライヤ銀行システム１５からサプライヤシステム７に通知される。そして、そのサプライヤシステム７が、その合算ＩＤコードの基になっている２又は３以上の請求ＩＤコードが何かを合算請求書管理サーバ２８に問い合わせ、合算請求書管理サーバ２８からそれら２又は３以上の請求ＩＤコードを受けることにより、それら２又は３以上の請求ＩＤコードにそれぞれ対応した２又は３以上の電子請求書を帳消しする、すなわち、各電子請求書の状態を「支払い依頼中」から「支払済み」に変更することができる。
【００４４】
なお、サプライヤ銀行システム１５は、振込データが有する請求ＩＤコード又は合算ＩＤコードを持った電子的な入出金明細を、請求書管理サーバ２５又は合算請求書管理サーバ２８に送信しても良い。その場合、請求書管理サーバ２５又は合算請求書管理サーバ２８が、以下の（１）又は（２）の電子請求書、
（１）その電子的な入出金明細が有する請求ＩＤコードに対応した電子請求書、
（２）その電子的な入出金明細が有する合算ＩＤコードに対応した２又は３以上の請求ＩＤコードを、合算請求書ＤＢ２９から取得し、取得された２又は３以上の請求ＩＤにそれぞれ対応した２又は３以上の電子請求書、
を請求書ＤＢ２７から特定し、特定された電子請求書の状態を「支払い依頼中」から「支払済み」に更新する。そして、請求書管理サーバ２５又は合算請求書管理サーバ２８は、その更新後の状態「支払済み」を、例えば、上記特定された電子請求書の請求ＩＤコードと共に、サプライヤシステム７に送信する。それにより、サプライヤシステム７は、請求書ＤＢ８の中から、請求状態が変更された全ての電子請求書を特定し、特定された全ての電子請求書の状態を「支払い依頼中」から「支払済み」に変更することができる。
【００４５】
以上が、本実施形態に係るシステムに備えられる各コンピュータシステムについての説明である。なお、云うまでもないが、各コンピュータシステムは、ＣＰＵ、ＲＯＭやＲＡＭ等のメモリ、ハードディスク等を備え、所定のコンピュータプログラムがＣＰＵによって読み込まれることにより、それらのハードウェア資源を用いて上述した処理を実行する。例えば、請求書管理サーバ２５又はバイヤシステム３が合算請求書を作成する際には、選択された２又は３以上の支払先同一請求書に含まれている種々の情報（例えば、請求金額、請求明細、及び請求ＩＤコード等）をメモリに展開し、請求金額算出用のコンピュータプログラムや、合算ＩＤコード作成用のコンピュータプログラムを適宜にＣＰＵが読み込み、そのＣＰＵが、メモリに展開された種々の情報のうち所定の情報を用いることで、合算請求金額の算出や合算ＩＤコードの生成等を行って合算請求書を作成する。
【００４６】
以下、図１を参照して、複数の電子請求書が合算されて支払われる際の流れの一例を説明する。
【００４７】
インターネット市場２において、サプライヤシステム７とバイヤシステム３との間で取引（例えば商品又はサービスの注文）が行われる都度に（ステップＳ１）、サプライヤシステム７は、その取引に固有の取引コードを生成し、且つ、その取引に関する取引情報（例えば、取引相手のバイヤ名、電子メールアドレス、取引金額、取引日、及び取引明細）を特定する。そして、サプライヤシステム７は、取引ＩＤコード及び取引情報に基づいて、その取引ＩＤコードを有する電子請求書を自動的に生成し（Ｓ２）、その電子請求書を請求書ＤＢ８に格納すると共に（Ｓ３）、その電子請求書を請求書管理サーバ２５に自動的に送信する（Ｓ４）。例えば、図１に示すように、第１の取引が行われたときには、サプライヤシステム７は、それに固有の取引ＩＤコードａを生成して、その取引ＩＤコードａを有する電子請求書Ａを自動作成して請求書管理サーバ２５に送信し、第２の取引が行われたときには、その取引に固有の別の取引ＩＤコードｂを生成して、その取引ＩＤコードｂを有する別の電子請求書Ｂを自動作成して請求書管理サーバ２５に送信し、第３の取引が行われたときには、その取引に固有のまた別の取引ＩＤコードｃを生成して、その取引ＩＤコードｃを有するまた別の電子請求書Ｃを自動作成して請求書管理サーバ２５に送信する。
【００４８】
請求書管理サーバ２５は、サプライヤシステム７から、請求ＩＤコードを有する電子請求書を受信する都度に、リアルタイムで、その電子請求書を請求書ＤＢ２７に格納すると共に（Ｓ５）、その電子請求書の請求先バイヤのバイヤシステム３に、電子請求書が到達した旨及びその電子請求書への請求書パス（例えばＵＲＬ）を示した電子メール（以下、「請求書到達通知メール」と言う）を送信する（Ｓ６）。そして、請求書管理サーバ２５は、請求書ＤＢ２７内で、その電子請求書の状態を「未開封」に設定し、リアルタイムに、その状態「未開封」を例えばその電子請求書の請求ＩＤコードと共にサプライヤシステム７に通知し、それにより、サプライヤシステム７をして、その電子請求書の状態を「未開封」に設定することを可能にせしめる。
【００４９】
バイヤシステム３は、請求書管理サーバ２５から請求書到達通知メールを受信して表示し、その請求書到達通知メールが表示された画面上で、請求書パスが指定されたら、その請求書パスに基づいて、到達通知された電子請求書にアクセスする（Ｓ７）。
【００５０】
請求書管理サーバ２５は、アクセスされた電子請求書をそのバイヤシステム３に送信し、更に、その請求書パスに対応した電子請求書の内容を見せ且つその電子請求書の支払い要求を入力するためのＧＵＩ画面をバイヤシステム３に表示させる（Ｓ８）。また、そのとき、請求書管理サーバ２５は、請求書ＤＢ２７において、送信した電子請求書の状態を「未開封」から「開封済み」に変更し、変更直後に自動的に、その電子請求書についての変更後の状態「開封済み」を、例えばその電子請求書の請求ＩＤコードと共に通知し、それにより、サプライヤシステム７をして、その電子請求書の状態を「未開封」から「開封済み」に変更することを可能にせしめる。
【００５１】
また、請求書管理サーバ２５は、バイヤシステム３に表示されているサブ画面６２（図２参照）で選択メニュー「合算」が選択されたときは、請求書ＤＢ２７から、バイヤ宛ての全ての又は一部の電子請求書を取得し、それらの電子請求書をバイヤシステム３に送信すると共に、図２に例示したように、その全ての又は一部の電子請求書を一覧表示した請求書一覧表６７をメイン画面６５に表示する（Ｓ９）。
【００５２】
バイヤシステム３は、請求書一覧表６７に表示されている複数の電子請求書の中から、例えば図２に示すように、請求元サプライヤ名が「☆☆花店」である３つの支払先同一請求書が選択されて、合算要求されたとき、具体的には「合算」ボタン５９が押下されたとき（Ｓ１０）、選択された３つの支払先同一請求書を一つの請求書とした電子的な合算請求書を作成する。具体的には、バイヤシステム３は、選択された３つ支払先同一請求書にそれぞれ記述されている３つの請求金額を合計して合算請求金額を算出し、且つ、選択された３つの支払先同一請求書がそれぞれ有する３つの請求ＩＤコードａ、ｂ、ｃに基づいて、合算請求書を一意に特定することができる合算ＩＤコードｚを生成する。そして、バイヤシステム３は、図３に例示するように、算出した合算請求金額、生成した１つの合算ＩＤコードｚ、それの基となっている３つの請求ＩＤコードａ、ｂ、ｃ、及び、３つの支払先同一請求書の内容を含んだ電子的な合算請求書９１を作成して、それを、メイン画面６５（図２参照）に表示する（Ｓ１１）。
【００５３】
その後、バイヤシステム３は、その合算請求書９１に対する支払い要求が入力されたとき、具体的には「支払」ボタン６７が押下されたときは（Ｓ１２）、合算請求書９１に記載されている合算請求金額を、所定の又はバイヤ所望のバイヤ口座から所定のサプライヤ口座に移動させるための支払い依頼電文を作成させるための指示電文を生成し、その指示電文を、合算請求書と共に合算請求書管理サーバ２８に送信する。その指示電文には、例えば、合算ＩＤコードｚと、それの基になっている３つの請求ＩＤコードａ，ｂ，ｃと、支払元口座番号（つまり所定の又はバイヤ所望の口座番号）と、入出金金額（つまり合算請求金額）と、支払先口座番号（つまり合算請求書に表されているサプライヤの口座番号）とが含まれている。
【００５４】
合算請求書管理サーバ２８は、バイヤシステム３から合算請求書及びそれの支払いのための指示電文を受信したときは、その指示電文に含まれている合算ＩＤコードｚと合算請求書とを対応付けて合算請求書ＤＢ２９に格納し、且つ、その指示電文に含まれている合算ＩＤコードｚと、その指示電文に含まれている３つの請求ＩＤコードａ、ｂ、ｃとを対応付けて合算請求書ＤＢ２９に格納する（Ｓ１３）。そして、合算請求書管理サーバ２８は、バイヤシステム３からの指示電文の受信に応答して、合算請求書に対応した合算ＩＤコードｚを有する支払い依頼電文を自動的に作成して、それを、上記指示電文に含まれている支払元口座番号を有するバイヤ銀行システム１３に送信する（Ｓ１４）。また、そのとき、合算請求書管理サーバ２８は、請求書管理サーバ２５をして、合算請求書の合算ＩＤコードｚに対応した３つの請求ＩＤコードａ、ｂ、ｃにそれぞれ対応した３つの電子請求書Ａ、Ｂ、Ｃの状態を「支払い依頼中」に更新せしめ、且つ、その変更後の状態「支払い依頼中」をサプライヤシステム７に通知せしめる。
【００５５】
バイヤ銀行システム１３は、合算請求書管理サーバ２８から、合算ＩＤコードｚを有する支払い依頼電文を受信すると、バイヤ銀行システム１３とサプライヤ銀行システム１５との間で入出金処理が行われる。すなわち、バイヤ銀行システム１３は、受信した支払い依頼電文に含まれている情報に基づいて、その合算ＩＤコードを有する振込データを生成してサプライヤ銀行システム１５に送信し（Ｓ１５）、サプライヤ銀行システム１５は、合算ＩＤコードｚを持った振込データを受信し、その振込データに基づいて入金処理を行う。そして、サプライヤ銀行システム１５は、振込データが有する合算ＩＤコードｚを持った電子的な入出金明細を生成し、それを、支払先のサプライヤのサプライヤシステム７に送信する（Ｓ１６）。
【００５６】
サプライヤシステム７は、サプライヤ銀行システム１５から、合算ＩＤコードｚを有する電子的な入出金明細を受信したときは、それに応答して自動的に、受信した入出金明細が有する合算ＩＤコードｚに対応した請求ＩＤコードは何かを合算請求書管理サーバ２８に問い合わせる（Ｓ１７）。
【００５７】
合算請求書管理サーバ２８は、サプライヤシステム７から、合算ＩＤコードｚを検索キーとした問い合わせを受けたならば、それに応答して、その合算ＩＤコードｚに対応した３つの請求ＩＤコードａ、ｂ、ｃを合算請求書ＤＢ２９から検索し（Ｓ１８）、検索された３つの請求ＩＤコードａ、ｂ、ｃをサプライヤシステム７に通知する（Ｓ１９）。
【００５８】
サプライヤシステム７は、Ｓ１７の問い合わせの結果として、サプライヤ銀行システム１５から受信した電子的な入出金明細が有する合算ＩＤコードｚに対応した３つの請求ＩＤコードを合算請求書管理サーバ２８から受信したら、請求書ＤＢ８において、それら３つの請求ＩＤコードａ、ｂ、ｃからそれぞれ特定される３つの電子請求書Ａ、Ｂ、Ｃを自動的に帳消しする、具体的には、それら３つの電子請求書Ａ、Ｂ、Ｃの各々の状態を、「支払い依頼中」から「支払済み」に変更して請求書ＤＢ８を更新する（Ｓ２０）。
【００５９】
以上、上述した実施形態によれば、バイヤ宛ての複数の電子請求書のうち、バイヤに選択された２又は３以上の支払先同一請求書については、バイヤシステム３又は請求書管理サーバ２５が、バイヤの要求に応じて、２又は３以上の支払先同一請求書にそれぞれ記載の２又は３以上の請求金額を合計して合算請求金額を算出し、その合算請求金額と、上記選択された２又は３以上の請求書の内容とを含んだ一つの合算請求書を作成し、それをバイヤシステム３のディスプレイ画面に表示する。また、バイヤシステム３又は請求書管理サーバ２５は、その合算請求書に対する支払い要求を入力するための「支払」ボタン６７（つまりＧＵＩ）も表示する。バイヤは、その一つの合算請求書の内容を見て、その合算請求書を承認する場合には、「支払」ボタン６７を押下する。そうすれば、その合算請求書の合算請求金額が所定の又はバイヤ所望のバイヤ口座から所定のサプライヤ口座に移される入出金処理が行われる。すなわち、本実施形態によれば、バイヤは、一つの合算請求書に対する支払い要求を入力するだけで、バイヤ宛ての複数の電子請求書のうちの所望の２又は３以上の支払先同一請求書の全てについて支払いを済ますことができる。これは、バイヤにとって便利である。
【００６０】
また、本実施形態では、合算請求書に対する支払い要求が入力されたら、合算請求書管理サーバ２８によって、その合算請求書に対応した合算ＩＤコードと、その合算請求書の基となった複数の支払先同一請求書にそれぞれ対応した複数の請求ＩＤコードとが対応付けられて合算請求書ＤＢ２９に登録される。また、合算ＩＤコードは、上述した一連のデータ送受信の際に、送受信対象のデータ（具体的には、指示電文、支払い依頼電文、振込データ、電子的な入出金明細）に付け回されることによって、サプライヤシステム７に送信される。サプライヤシステム７は、受信した合算ＩＤコードを検索キーとして合算請求書管理サーバ２８に問い合わせを出し、合算請求書管理サーバ２８が、検索キーとして受けた合算ＩＤコードに対応づいた複数の請求ＩＤコードを合算請求書ＤＢ２９から検索して、検索された複数の請求ＩＤコードをサプライヤシステム７に通知する。それにより、バイヤシステム３において、合算請求書で支払い要求が入力されても、サプライヤシステム７では、その合算請求書の基となっている複数の電子請求書を特定して自動的に消し込むことができる。
【００６１】
なお、上述した実施形態において、例えば、合算請求書の支払い以後に銀行システム等のコンピュータ間で受け渡される情報は、合算ＩＤコードの代わりに、合算請求書の基になった２以上の電子請求書にそれぞれ対応した２以上の請求ＩＤコードを含んだ識別情報であっても良い。
【００６２】
また、上述した実施形態において、種々のバリエーションが考えられる。以下、説明が重複するかもしれないが、考えられるバリエーションの例について説明する。なお、以下の説明において、単に「サーバ」というときは、請求書管理サーバ２５及び／又は合算サーバ２８を含んだ装置を意味する。
【００６３】
（１）第１のバリエーション
サーバ又はバイヤシステム３は、請求書ＤＢ２７内の同一バイヤ宛の複数の電子請求書の中から、サプライヤ情報（例えばサプライヤ名又はサプライヤ識別コード）又は支払先口座番号が同一である２以上の電子請求書を含んだ請求書グループを１つ以上判別する。複数の請求書グループが判別された場合には、サーバ又はバイヤシステム３は、複数の請求書グループをバイヤが識別し易いように表示する。例えば、サーバ又はバイヤシステム３は、バイヤシステムに表示するバイヤ画面を複数のサブ領域に分け、各サブ領域に、各請求書グループに属する２以上の請求書の請求書リスト（又は各請求書の明細）を表示する。サーバ又はバイヤシステム３は、各請求書リストからバイヤによって２以上の電子請求書が選択されて合算要求されたならば、２以上の電子請求書に基づいて合算請求書を作成し表示する。
【００６４】
（２）第２のバリエーション
サーバ又はバイヤシステム３は、請求書ＤＢ２７内の同一バイヤ宛の複数の電子請求書の中から、サプライヤ情報又は支払先口座番号が同一であって、支払期日が同一又は近似（例えば差は数日程度）している２以上の電子請求書を含んだ請求書グループを１つ以上判別する。後の処理は、第１のバリエーションと同様である。
【００６５】
（３）第３のバリエーション
サーバ又はバイヤシステムは、請求書ＤＢ２７内の同一バイヤ宛の複数の電子請求書の一覧リストをバイヤに表示する。その一覧リストは、各電子請求書の諸情報（例えば支払先口座番号或いはサプライヤ情報）がどんな内容であるかに関わらず、どの電子請求書も支払い対象として選択できるようになっており（例えば、どの電子請求書についてもチェックボックスが表示されており）、バイヤは、それら複数の電子請求書の中から、支払先がどこか等を気にすることなく、支払いをしたい電子請求書を好きに選択することができる。サーバ又はバイヤシステムは、バイヤによって選択された２以上の電子請求書について、例えばバイヤからの支払要求に応答して、電子請求書のサプライヤ情報又は支払先口座番号が同一であるものがあるか否かに基づいて、合算可能なものとそうでないものとに仕分けする。そして、サーバ又はバイヤシステムは、選択された２以上の電子請求書のうち、合算可能な２以上の電子請求書については合算請求書にして表示し、合算不可能なものについてはその選択された電子請求書それ自体を表示する。なお、その際に、サーバ又はバイヤシステムは、合算請求書及び合算不可能な電子請求書を、同一バイヤ画面上に重ならないように表示しても良いし重ねて表示しても良い。また、サーバ又はバイヤシステムは、合算請求書及び合算不可能な電子請求書の各々について支払要求を受け付ける（例えば、合算請求書及び合算不可能な電子請求書の各々に対応した支払ボタンを表示する）。
【００６６】
（４）第４のバリエーション
サーバ又はバイヤシステムは、２以上の電子請求書に基づいて合算請求書を作成した後、バイヤの要求に応答して、合算請求書を、それの基になった２以上の電子請求書に分割して表示しても良い（つまり合算請求書作成前の元の電子請求書に戻しても良い）。
【００６７】
（５）第５のバリエーション
サーバは、サプライヤシステムから受信した複数の電子請求書のうち、バイヤからの要求を受けることなく自動的に、例えば任意のタイミングで、請求先バイヤが同一であり且つサプライヤ情報又は支払先口座番号が同一である２以上の電子請求書を特定し、特定された２以上の電子請求書を合算請求書に変換する。その場合、サーバは、合算請求書を特定するための識別情報（例えば合算ＩＤコード、或いは、その合算請求書の基になった２以上の電子請求書にそれぞれ対応した２以上の請求ＩＤコードを含んだ情報）を用意し、その識別情報を持った合算請求書を出力、例えば、バイヤシステムに表示する。そのとき、サーバ又はバイヤシステムは、合算請求書の分割要求を受けたときには、その合算請求書の基になった２以上の電子請求書に分けてそれらを個々に表示し且つ個々に支払要求を受け付ける（例えば各電子請求書毎に支払ボタンを表示する）。一方、サーバ又はバイヤシステムは、合算請求書に対する支払い要求を受けたときは、表示された前記電子請求書について、前記バイヤの支払い要求を受け、前記その合算請求書に含まれている識別情報を持つ前記支払い依頼電文を作成してバイヤ銀行システムに送信する。倍や銀行システムは、その支払い依頼電文に基づいて、その識別情報を持つ振込みデータをサプライヤ銀行システムに送信し、サプライヤ銀行システムは、その識別情報を持つ入出金明細をサーバ又はサプライヤシステムに送信する。サーバ又はサプライヤシステムは、その識別情報が、合算ＩＤコードの場合には、それに対応付けられた２以上の請求ＩＤコードを合算請求ＤＢから取得し、各請求ＩＤコードを用いて支払いが行われた各電子請求書を特定することができ、その識別情報が、２以上の請求ＩＤコードである場合には、それらの各々を用いて各電子請求書を特定することができる。
【００６８】
（６）第６のバリエーション
サプライヤシステムは、サプライヤ銀行システム１５から、合算ＩＤコードを含んだ入出金明細を受信したときは、その合算ＩＤコードを見せることなく自動的に、その合算ＩＤコードに対応した２以上の請求書ＩＤコードをサーバから取得する。
【００６９】
（７）第７のバリエーション
サプライヤ銀行システム１５は、バイヤ銀行システム１３から合算ＩＤコードを受信したときは、それを合算サーバに送信する。合算サーバは、サプライヤ銀行システム１５から合算ＩＤコードを受信したときは、その旨をサプライヤシステムに通知しサプライヤシステムからの問い合わせがあったときに、或いは自動的に、その合算ＩＤコードに対応した２以上の請求ＩＤコードを合算請求書ＤＢ２９から取得しそれをサプライヤシステム７に送信する。
【００７０】
（８）第８のバリエーション
サーバ又はバイヤシステム３は、バイヤに設定された所定の条件（一例として、請求書の数的条件、支払期限等に関する時期的条件）に基づいて、（例えばバイヤからの請求書の選択を待つことなく自動的に）合算請求書を作成して出力する。「所定の条件」は、例えば、以下の（Ａ）〜（Ｄ）の条件、
（Ａ）未払いの支払先同一請求書の数が幾つになったときにその未払いの請求書を合算請求書にするか、
（Ｂ）複数の未払いの支払先同一請求書に基づく合算請求金額が幾らを超えたときに、それら複数の支払先同一請求書を合算請求書にするか、
（Ｃ）どのサプライヤからの電子請求書を合算請求書にするか、
（Ｄ）支払期限がいつ又はどの期間内のものの複数の支払先同一請求書を合算請求書にするか、
のうちの少なくとも１つである。
【００７１】
（９）第９のバリエーション
サーバ又はバイヤシステムは、合算請求書を作成しようとするとき、合算請求書の内容が所定の条件を満足しないようであれば、（ａ）その旨をバイヤに警告する、（ｂ）合算請求書を作成しない、（ｃ）合算請求書を２つ以上の別の合算請求書に分ける、のいずれかを行う。例えば、サーバ又はバイヤシステムは、合算対象として複数の電子請求書が選択された場合、合算請求金額が所定金額（例えば、バイヤに設定された金額、或いは支払元バイヤ口座の残額）を超えてしまうときには、上記（ａ）〜（ｃ）のいずれかの処理を行う。
【００７２】
以上、本発明の好適な実施形態を説明したが、これは本発明の説明のための例示であって、本発明の範囲をこの実施例にのみ限定する趣旨ではない。本発明は、その要旨を逸脱することなく、他の種々の形態でも実施することができる。
【図面の簡単な説明】
【図１】本発明の一実施形態に係るシステムの全体的構成を示すブロック図。
【図２】請求書一覧表を含んだＧＵＩ画面を示す図。
【図３】合算請求書の一例を示す図。
【符号の説明】
３  バイヤシステム
７  サプライヤシステム
１３  バイヤ銀行システム
１５  サプライヤ銀行システム
２５  請求書管理サーバ
２８  合算請求書管理サーバ
【図１】
2004259196.tif 000003
【図２】
2004259196.tif 000004
【図３】
2004259196.tif 000005